(57)【特許請求の範囲】
【請求項１】
ブッシングに設けられた複数個の孔部から溶融ガラスを下方に向けて引き出すことにより複数本のガラスフィラメントを形成する形成工程、
集束剤塗布装置により前記複数本のガラスフィラメントの表面に集束剤を塗布する集束剤塗布工程、及び
前記集束剤が塗布された複数本のガラスフィラメントを、集束部材を有する集束装置によって集束させてストランドを形成するストランド形成工程を備え、
前記ストランド形成工程は、
前記ストランド形成開始時に、作業者が前記集束装置の集束部材に前記複数本のガラスフィラメントを案内する案内工程と、前記ストランド形成開始後のストランド形成時に、前記集束装置の集束部材によって前記複数本のガラスフィラメントを集束し、前記ストランドを形成するガラスフィラメント集束工程を備えるストランドの製造方法であって、
前記集束装置は、ガイド部材をさらに有し、
前記ガイド部材は、前記集束部材に追従して移動し、
前記案内工程においては、前記作業者が、前記ストランド形成時の位置よりも作業者に近い位置に配置させた前記集束装置の集束部材に、前記複数本のガラスフィラメントを案内する、
ことを特徴とするストランドの製造方法。
【請求項２】
前記案内工程において、前記作業者が、前記集束剤塗布装置の略垂線上に配置させた前記集束装置の集束部材に、前記複数本のガラスフィラメントを案内する、
ことを特徴とする、請求項１に記載のストランドの製造方法。
【請求項３】
溶融ガラスを引出し可能な複数個の孔部を有するブッシングと、
前記孔部から引き出された溶融ガラスから形成された複数本のガラスフィラメントに当接、摺動させ、集束剤を塗布する集束剤塗布装置と、
前記集束剤が塗布された前記複数本のガラスフィラメントを案内、集束させてガラスストランドを形成する集束部材を有する集束装置と、を備えるストランド製造装置であって、
前記集束装置は、ガイド部材をさらに有し、
前記集束部材は、水平方向に移動可能に構成され、
前記ガイド部材は、前記集束部材に追従して移動する、
ことを特徴とするストランド製造装置。
【発明の詳細な説明】
【技術分野】
【０００１】
本発明は、例えばガラスフィラメントからなるストランドの製造方法および製造装置の技術に関し、より詳しくは、集束装置へのガラスフィラメントの案内作業の効率化を図った、ストランドの製造方法および製造装置の技術に関する。
【背景技術】
【０００２】
従来より、ガラスフィラメントからなるストランドの紡糸工程においては、複数本のガラスフィラメントを集束してストランドを形成し、当該ストランドをボビンに巻取ることによってストランド巻体（ケーキ）を形成するのが一般的である（例えば、「特許文献１」を参照）。
具体的には、例えば、ブッシング内より溶融ガラスを引出して複数本（例えば、数千本）のガラスフィラメントを形成し、形成された各々のガラスフィラメントを集束剤塗布装置の回転ローラーに当接させることによって集束剤（バインダー）を塗布し、集束剤が塗布された複数本のガラスフィラメントを、集束ローラーを備えた集束装置によってストランドに集束した後、この集束されたストランドをトラバース機構（綾振機構）によって綾振しつつ、巻取装置に備えられる高速回転するボビンに巻取ることによって、ストランドが製造される。
【先行技術文献】
【特許文献】
【０００３】
【特許文献１】特開平８−３０１５１９号公報
【発明の概要】
【発明が解決しようとする課題】
【０００４】
ここで、紡糸工程においては、例えば、ブッシング、集束剤塗布装置、および集束装置等をメンテナンスする（または、操作する）作業位置と、トラバース機構、および巻取装置等をメンテナンスするまたは操作する作業位置とは上下方向に離間して設置されることが多い。
また、上記回転ローラーは、ブッシングの略直下に設置されるとともに、上記回転ローラーにガラスフィラメントを確実に当接させるため、上記集束ローラーは、上記回転ローラーの下方の固定位置に配置されている。
【０００５】
そして、紡糸工程の開始時、またはガラスフィラメントの切断による紡糸工程の再開時においては、その都度、作業者は複数本のガラスフィラメントを束ねて集束ローラーに案内する案内作業を行う必要があるが、作業者の作業位置から集束ローラーが離れているため、作業者が作業し難い体勢をとる必要があり、作業性が悪かった。
【０００６】
本発明は、以上に示した現状の問題点を鑑みてなされたものであり、集束装置へのガラスフィラメントの案内作業を容易にし、作業効率の向上を図ることが可能なストランドの製造方法および製造装置を提供することを課題とする。
【課題を解決するための手段】
【０００７】
本発明の解決しようとする課題は以上の如くであり、次にこの課題を解決するための手段を説明する。
【０００８】
即ち、本発明に係るストランドの製造方法は、ブッシングに設けられた複数個の孔部から溶融ガラスを下方に向けて引き出すことにより複数本のガラスフィラメントを形成する形成工程、集束剤塗布装置により前記複数本のガラスフィラメントの表面に集束剤を塗布する集束剤塗布工程、および前記集束剤が塗布された複数本のガラスフィラメントを、集束部材を有する集束装置によって集束させてストランドを形成するストランド形成工程を備え、前記ストランド形成工程は、前記ストランド形成開始時に、作業者が前記集束装置の集束部材に前記複数本のガラスフィラメントを案内する案内工程と、前記ストランド形成開始後のストランド形成時に、前記集束装置の集束部材によって前記複数本のガラスフィラメントを集束し、前記ストランドを形成するガラスフィラメント集束工程を備えるストランドの製造方法であって、前記案内工程においては、前記作業者が、前記ストランド形成時の位置よりも作業者に近い位置に配置させた前記集束装置の集束部材に、前記複数本のガラスフィラメントを案内することを特徴とする。
【０００９】
このような構成からなる本発明によれば、複数本のガラスフィラメントを束ねて集束装置の集束部材に案内する作業（案内工程）を行う場合、作業者が作業しやすい体勢で複数本のガラスフィラメントを集束部材に案内できるため、作業効率の向上を図ることができる。
【００１０】
また、本発明に係るストランドの製造方法は、前記案内工程において、前記作業者が、前記集束剤塗布装置の略垂線上に配置させた前記集束装置の集束部材に、前記複数本のガラスフィラメントを案内することが好ましい。
【００１１】
このような構成からなるストランドの製造方法によれば、作業者がより作業しやすい体勢で複数本のガラスフィラメントを集束部材に案内することができる。また、集束剤塗布装置から垂れ下がった複数本のガラスフィラメントの位置と集束装置の集束部材の位置が非常に近くなるため、複数本のガラスフィラメントを無理なく集束部材に案内できる。
【００１２】
また、本発明に係るストランドの製造装置は、溶融ガラスを引出し可能な複数個の孔部を有するブッシングと、前記孔部から引き出された溶融ガラスから形成された複数本のガラスフィラメントに当接、摺動させ、集束剤を塗布する集束剤塗布装置と、前記集束剤が塗布された前記複数本のガラスフィラメントを案内、集束させてガラスストランドを形成する集束部材を有する集束装置と、を備えるストランド製造装置であって、前記集束部材は、水平方向に移動可能に構成されてなることを特徴とする。
【００１３】
このような構成からなる本発明によれば、集束部材をストランド形成時の位置（集束位置）よりも作業者に近い位置（案内位置）に配置させることができるため、作業者が作業しやすい体勢で複数本のガラスフィラメントを集束部材に案内しやすくなり、作業効率の向上を図ることができる。
【発明の効果】
【００１４】
本発明の効果として、以下に示すような効果を奏する。
即ち、本発明に係るストランドの製造方法およびストランド製造装置によれば、集束装置の集束部材へのガラスフィラメントの案内作業を容易にし、作業効率の向上を図ることができる。
【図面の簡単な説明】
【００１５】
【図１】本発明の一実施形態におけるストランド製造装置の全体的な構成を示した概略側面図。
【図２】集束装置の構成を示した正面図。
【図３】同じく集束装置の構成を示した側面図。
【図４】同じく集束装置の構成を示した平面図。
【図５】別実施形態における集束装置の構成を示した平面図。
【発明を実施するための形態】
【００１６】
次に、発明の実施形態について説明する。
なお、以下の説明においては便宜上、図１に示した矢印の方向によってストランド製造装置１の上下方向および前後方向を規定して説明する。
また、図２乃至図４に示した矢印の方向によって集束装置３０の上下方向、前後方向、および左右方向を規定して説明する。
また、図５に示した矢印の方向によって別実施形態における集束装置３０の前後方向および左右方向を規定して説明する。
さらに、図１乃至図３においては、矢印Ａの方向をガラスフィラメントＧｆまたはストランドＧｓの引出し方向と規定して説明する。
【００１７】
［ストランド製造装置１］
先ず、本発明に係るストランド製造装置１の全体構成について、図１を用いて説明する。
本実施形態におけるストランド製造装置１は、溶融ガラスを紡糸して複数本のガラスフィラメントＧｆ・Ｇｆ・・・を形成し、これらのガラスフィラメントＧｆ・Ｇｆ・・・を集束してなる一本または複数本（例えば、本実施形態においては二本）のストランドＧｓ・Ｇｓをボビン４４・４４に各々巻取り、ストランド巻体Ｓｋ・Ｓｋを形成するための装置である。
【００１８】
ストランド製造装置１は、主にブッシング１０、集束剤塗布装置２０、集束装置３０、および巻取装置４０等により構成される。
ブッシング１０は、内部に流入された溶融ガラスを繊維状に引出し、ガラスフィラメントＧｆを成形するための部材である。
また、ブッシング１０は、例えば白金または白金合金等により形成され、その底部には複数行且つ複数列のマットリクス状に配置される複数個（例えば、数千個）の中空ノズル（図示せず）が設けられている。
【００１９】
そして、これらの中空ノズルの中空部（孔部）からブッシング１０内の溶融ガラスを矢印Ａの方向に引出すことによって、複数本のガラスフィラメントＧｆ・Ｇｆ・・・が成形（紡糸）される。
【００２０】
次に、集束剤塗布装置２０について説明する。
集束剤塗布装置２０は、ブッシング１０によって紡糸された各々のガラスフィラメントＧｆ・Ｇｆ・・・を、二本（図１においては、側面図であるため一本のみ記載）のストランドＧｓ・Ｇｓに集束するための集束剤を塗布するための装置である。
また、集束剤塗布装置２０は、集束剤を貯溜する容器２１、および軸心方向を水平方向としつつ外周面の一部（例えば、本実施形態においては下端部）において容器２１内の集束剤と接触するように軸支される回転ローラー２２などにより構成される。
【００２１】
そして、回転ローラー２２の外周面の他部（例えば、本実施形態においては前端部）において、複数本のガラスフィラメントＧｆ・Ｇｆ・・・が所定の部位で押圧当接されつつ摺動することにより、各ガラスフィラメントＧｆの外周面に集束剤が塗布される。
【００２２】
次に、集束装置３０について説明する。
集束装置３０は、集束剤塗布装置２０によって集束剤が塗布された複数本のガラスフィラメントＧｆ・Ｇｆ・・・を束ねて複数本（二本）のストランドＧｓ・Ｇｓを形成するとともに、ブッシング１０および後述する巻取装置４０の間において、ガラスフィラメントＧｆ（または、ストランドＧｓ）に対して張力（テンション）を付加し、ガラスフィラメントＧｆを回転ローラー２２に当接させやすくするための装置である。
【００２３】
集束装置３０は、詳細は後述するが、軸心方向を水平方向（例えば、本実施形態においては左右方向）としつつ同軸上に軸支される複数個（本実施形態においては、二個。図１においては、側面図であるため一個のみ記載）の集束ローラー３１・３１（集束部材）を備え、これらの集束ローラー３１・３１が、ブッシング１０より引出された複数本のガラスフィラメントＧｆ・Ｇｆ・・・を押圧して張力を付加しつつ、案内しながら束ねる状態となる「集束位置（例えば、図１における「集束ローラー３１Ａ」によって示される位置）」と、「集束位置」よりも図１に示す案内作業を行う作業位置に近い「案内位置（例えば、図１における「集束ローラー３１Ｂ」によって示される位置）」との間にて、水平方向に移動可能に配置されている。
【００２４】
そして、集束剤塗布装置２０を通過した複数本のガラスフィラメントＧｆ・Ｇｆ・・・が、各々の集束ローラー３１の外周面に当接されて摺動することにより集束されて、一本のストランドＧｓに束ねられる。
【００２５】
このように、本実施形態においては、複数個（二個）の集束ローラー３１・３１が設けられることから、一度の紡糸工程によって複数個（二本）のストランドＧｓ・Ｇｓを形成することができる。
【００２６】
次に、巻取装置４０について説明する。
巻取装置４０は、集束装置３０によって集束されたストランドＧｓを巻取り、ストランド巻体Ｓｋを形成するための装置である。
【００２７】
巻取装置４０は板状の本体４１を備え、本体４１の一側面（例えば、本実施形態においては左側面）には、回転可能に構成されるタレット盤４２、タレット盤４２に片持ち支持され互いに平行且つ水平方向に延出するようにして配置される一対のスピンドル４３・４３、およびタレット盤４２に付設され各スピンドル４３を回転駆動させる第一駆動モータ（図示せず）などが配設される。
【００２８】
また、各々のスピンドル４３には、集束装置３０の集束ローラー３１・３１の個数に合わせて、二個（図１においては、側面図であるため一個のみ記載）のボビン４４・４４が同軸上に挿設されるとともに、本体４１には、図示せぬ第二駆動モータが配設されており、当該第二駆動モータによって、一方のスピンドル４３における全てのボビン４４・４４が「満巻状態」となると他方のスピンドル４３に切替えるためにタレット盤４２を１８０°回転駆動させる構成となっている。
【００２９】
そして、本体４１において、ストランドＧｓの巻取り作業の「実行位置」におけるボビン４４の手前には、トラバース機構４５が配設されており、当該トラバース機構４５によって、ボビン４４に巻き取られるストランドＧｓが、スピンドル４３の軸方向と平行な方向に綾振されるようになっている。
こうして、トラバース機構４５によって綾振されつつ、各々のボビン４４にストランドＧｓが巻き取られ、ストランド巻体Ｓｋが形成される。
【００３０】
以上のような構成からなるストランド製造装置１は、例えば工場等の建屋の階下および階上に渡って設置され、ブッシング１０、集束剤塗布装置２０、および集束装置３０が階上に設けられるとともに、巻取装置４０が階下のフロアＦ１上、且つ集束剤塗布装置２０に対して下方に配置される。
【００３１】
そして、階上のフロアＦ２において、集束剤塗布装置２０の直下に位置する領域には開口部Ｈが形成されており、集束装置３０の集束ローラー３１によって束ねられたストランドＧｓは、開口部Ｈを通って階下の巻取装置４０へと導かれる。
【００３２】
ここで、ブッシング１０によりガラスフィラメントＧｆ・Ｇｆ・・・を紡糸し、紡糸したガラスフィラメントＧｆ・Ｇｆ・・・を集束させてストランドＧｓ・Ｇｓを形成するストランド形成時においては、集束ローラー３１は、ストランドＧｓに所定のテンションを付加するために、開口部Ｈの近傍において、回転ローラー２２とガラスフィラメントＧｆとが接触する部位からの垂線Ｃ（以下、単に垂線Ｃと記載する）に対して水平方向（本実施形態においては、後方）に離間する位置、即ち「集束位置」に配置される。
【００３３】
そして、従来においては、集束ローラー３１の位置が固定されており、ストランド形成開始時、具体的には紡糸工程の開始時、またはガラスフィラメントＧｆの不意な切断による紡糸工程の再開始時において、作業者Ｍはその都度建屋階上の開口部Ｈの周縁部にある集束位置にて、複数本のガラスフィラメントＧｆ・Ｇｆ・・・を束ねて案内作業を行う必要があり、作業者Ｍと集束位置の距離が大きいため、作業者Ｍが前傾姿勢で案内作業を行わなければならず、作業性が悪く、当該案内作業の作業効率を向上させるための対策が望まれていた。
【００３４】
これに対して、本実施形態においては、ストランド形成開始時に、作業者Ｍがストランド形成時の位置（集束位置）よりも作業者Ｍに近い位置（案内位置）に配置させた集束ローラー３１に、複数本のガラスフィラメントＧｆ・Ｇｆ・・・を案内するため、従来のように、「集束位置」で複数本のガラスフィラメントＧｆ・Ｇｆ・・・を束ねて案内作業を行う必要がなく、当該案内作業を無理のない姿勢をもって行うことができ、作業効率を向上することが可能となっている。
【００３５】
また、本実施形態において、「案内位置」は、「集束位置」に対して垂線Ｃに近い位置であることから、例えば、「集束位置」が作業者Ｍから遠く離れた位置であったとしても、作業者Ｍは、当該「集束位置」に対して垂線Ｃに近い位置であり、且つ作業者Ｍに近い「案内位置」にて、案内作業を容易に行うことができる。
【００３６】
［集束装置３０］
次に、集束装置３０の構成について、図２乃至図４を用いて詳述する。
集束装置３０は、図２に示すように、主に集束ローラー３１、駆動手段３２、可動手段３３、およびガイド部材３４等により構成され、例えば複数の棒状部材等により構築されたフレーム５０によって堅固に保持される。
【００３７】
集束ローラー３１は、複数本のガラスフィラメントＧｆ・Ｇｆ・・・を案内しながら束ねて集束させる集束部材の一例として設けられる部材である。
集束ローラー３１は、前述したように軸心方向を左右方向として配設され、その外周面の軸心方向中央部には断面視「Ｖ」字状の溝部３１ａが全周に渡って形成されている。
【００３８】
そして、集束ローラー３１の外周面にて摺動する複数本のガラスフィラメントＧｆ・Ｇｆ・・・は、溝部３１ａの傾斜面に沿って各々当該溝部３１ａの底部へと案内され、一本のストランドＧｓへと集束される。
【００３９】
次に、駆動手段３２について説明する。
駆動手段３２は、集束ローラー３１を回転駆動させるためのものである。
駆動手段３２は、駆動源である駆動モータおよび減速機構等を内装する筐体３２Ａ、および筐体３２Ａの左右両側面より水平方向（例えば、本実施形態においては左右方向）且つ同軸上に延出する二本の出力軸３２Ｂ・３２Ｂなどにより構成される。
また、これら二本の出力軸３２Ｂ・３２Ｂには、集束ローラー３１・３１が、同軸上に各々嵌挿される。
【００４０】
そして、駆動手段３２は、出力軸３２Ｂを介して、集束ローラー３１を所定の回転方向（ストランドＧｓの移動方向に向かって回転する方向）、且つ回転速度にて回転駆動させる。
これにより、集束ローラー３１の溝部３１ａにおいて、常に同じ場所に複数本のガラスフィラメントＧｆ・Ｇｆ・・・（またはストランドＧｓ）が当接することを防止することができ、集束ローラーの寿命の長期化を図ることができる。
【００４１】
次に、可動手段３３について説明する。
可動手段３３は、前述した「案内位置」および「集束位置」の間において、駆動手段３２とともに集束ローラー３１を水平方向に移動させるためのものである。
可動手段３３は、図３に示すように、例えばエアシリンダー等からなるアクチュエータ３３Ａ、およびアクチュエータ３３Ａをフレーム５０より支持する支持部材３３Ｂなどにより構成される。
【００４２】
そして、可動手段３３は、アクチュエータ３３Ａの伸縮ロッド３３Ａ１の可動方向が前後方向となるようにして配置されるとともに、伸縮ロッド３３Ａ１の前端部において、ブラケット３３Ｃを介して駆動手段３２の筐体３２Ａと連結される。
【００４３】
このような構成からなる可動手段３３において、伸縮ロッド３３Ａ１を前方に向かって水平移動させると、駆動手段３２における二個の集束ローラー３１・３１は、ともに前方へと水平移動する。
そして、伸縮ロッド３３Ａ１の位置が出限位置（即ち、最前端位置）に到達することにより、集束ローラー３１は、「案内位置」に位置することとなる。
【００４４】
一方、伸縮ロッド３３Ａ１を出限位置より後方に向かって水平移動させると、駆動手段３２における二個の集束ローラー３１・３１は、ともに後方へと水平移動する。
そして、伸縮ロッド３３Ａ１の位置が戻現位置（即ち、最後端位置）に到達することにより、集束ローラー３１は、「集束位置」に位置することとなる。
【００４５】
次に、ガイド部材３４について説明する。
ガイド部材３４は、集束剤塗布装置２０を通過した複数本のガラスフィラメントＧｆ・Ｇｆ・・・を集束ローラー３１の溝部３１ａへと導くための部材である。
ガイド部材３４は、図４に示すように、例えば平面視略「Ｖ」字状に屈曲形成された丸棒部材によって構成され、各々の集束ローラー３１の上方において、当該集束ローラー３１の後端部より後方に向かって徐々に拡開するようにして配置される。
換言すると、「案内位置」において、集束ローラー３１には、「集束位置」側に向かって拡開するガイド部材３４が上部に備えられる。
【００４６】
そして、ガイド部材３４は、その前端部において、ブラケット３４Ａを介しつつ駆動手段３２の筐体３２Ａに固設される。
これにより、集束ローラー３１に対するガイド部材３４の相対的な位置関係が常に保持されることとなり、可動手段３３によって集束ローラー３１が移動する際において、ガイド部材３４は、集束ローラー３１に追従して移動する。
【００４７】
このような構成からなるガイド部材３４を備えることにより、例えばガイド部材３４の内側（平面視略「Ｖ」字状の内側）、またはガイド部材３４の移動経路に沿った位置にガラスフィラメントＧｆ・Ｇｆ・・・を案内し、「案内位置」に位置する集束ローラー３１を「集束位置」に向かって移動させるだけで、複数本のガラスフィラメントＧｆ・Ｇｆ・・・が、ガイド部材３４の内側を前方に向かって摺動しながら徐々に集束され、集束ローラー３１の外周面（より具体的には、溝部３１ａ）へと容易に導かれる。
つまり、作業位置から集束ローラー３１を近くして、作業者Ｍの作業を容易にするとともに、案内作業を更に簡素化することができる。
【００４８】
また、ガイド部材３４は、「集束位置」において、ガラスフィラメントＧｆが接しないように構成されている。
そのため、ガイド部材３４の寿命の長期化を図ることができるとともに、ガラスストランド形成時において、ガラスフィラメントＧｆの切断が抑制される。
【００４９】
［動作手順］
次に、本実施形態におけるストランド製造装置１の動作手順について、図１を用いて説明する。
【００５０】
先ず始めに、集束装置３０において、二個の集束ローラー３１・３１は、ともに「案内位置」にて回転駆動を停止した状態となっている。
また、巻取装置４０において、スピンドル４３およびトラバース機構４５は停止した状態にあるとともに、トラバース機構４５の近傍に位置するスピンドル４３には、未だストランドＧｓが巻かれていない二個のボビン４４・４４が同軸上に挿設されている。
【００５１】
このような状態において、溶融炉（図示せず）にて溶融された溶融ガラスをブッシング１０内に流入させ、ブッシング１０の底部に設けられた複数個の中空ノズルから、複数本の繊維状のガラスフィラメントＧｆ・Ｇｆ・・・を引出す。
【００５２】
ブッシング１０から引出された複数本のガラスフィラメントＧｆ・Ｇｆ・・・は、ひとまず階上のフロアＦ２の開口部Ｈを通って階下へと垂下され、トラバース機構４５を経由させた後、一方のボビン４４の所定位置（一端部）にて、各々の先端部を一本にまとめて巻付けられる。
【００５３】
その後、ガイド部材３４の内側、またはガイド部材３４の移動経路に沿った位置にガラスフィラメントＧｆ・Ｇｆ・・・を案内し、集束装置３０における二個の集束ローラー３１・３１を、「集束位置」に同時に移動させるとともに、これらの集束ローラー３１・３１の回転駆動を開始する。
【００５４】
その結果、複数本のガラスフィラメントＧｆ・Ｇｆ・・・には所定の張力が付加され、集束装置３０の上流側において、集束剤塗布装置２０の回転ローラー２２の外周面に、これらのガラスフィラメントＧｆ・Ｇｆ・・・が押付けられることとなる。
また、これと同時に、これらのガラスフィラメントＧｆ・Ｇｆ・・・は、各々の集束ローラー３１の溝部３１ａを介して束ねられ、一本のストランドＧｓに集束される。
【００５５】
集束ローラー３１を「集束位置」へと移動させた後、巻取装置４０を起動させる。
これにより、スピンドル４３の回転駆動、およびトラバース機構４５の綾振動作がともに開始される。
【００５６】
その結果、スピンドル４３上のボビン４４・４４は、ともに所定の回転数にて回転駆動され、トラバース機構４５によって綾振されつつストランドＧｓ・Ｇｓを各々巻付けていく。
【００５７】
その後、一方のボビン４４において、所定の長さのストランドＧｓが巻付けられて「満巻状態」となると、タレット盤４２を１８０°回転させて、他方のボビン４４をトラバース機構４５の近傍、即ちストランドＧｓの巻取り作業の「実行位置」へと移動させる。
これにより、「満巻状態」となったストランドＧｓは、切断されると同時に、他方のボビン４４の所定位置（一端部）にて巻付けられ、その後、ストランドＧｓは、新たに他方のボビン４４に巻き取られていく。
こうして、各々のボビン４４・４４には、所定長さのストランドＧｓが巻き付けられて、ストランド巻体Ｓｋ・Ｓｋが形成される。
【００５８】
以上によって、ストランド製造装置１による、紡糸された複数本のガラスフィラメントＧｆ・Ｇｆ・・・をストランドＧｓに集束してストランド巻体Ｓｋを形成する「紡糸工程」は一旦終了する。
【００５９】
そして、引き続き新たなストランド巻体Ｓｋを形成する場合においては、ブッシング１０より垂下された複数本のガラスフィラメントＧｆ・Ｇｆ・・・を、トラバース機構４５を経由させて、再び各ボビン４４の所定位置に巻付け、それ以降の前述した動作手順を繰り返すこととなる。
【００６０】
ところで、所定の回転数にて回転駆動されるボビン４４にストランドＧｓを巻付ける際、外的要因（例えば、衝撃力の付加や温度・湿度の変化など）によってガラスフィラメントＧｆが切断される場合がある。
【００６１】
このような、ガラスフィラメントＧｆの切断による「紡糸工程」の再開始時においては、以下の動作手順に従うこととなる。
即ち、例えば巻取り作業の最中において、ガラスフィラメントＧｆが切断すると、スピンドル４３の回転駆動、およびトラバース機構４５の綾振動作を一旦停止する。
また、その一方において、二個の集束ローラー３１・３１の回転駆動を停止するとともに、これらの集束ローラー３１・３１を、「案内位置」へと水平移動させる。
【００６２】
そして、中途部にて切断されたガラスフィラメントＧｆからなる未完成のストランド巻体Ｓｋを、スピンドル４３より抜脱させる。
【００６３】
ここで、スピンドル４３より抜脱された未完成のストランド巻体Ｓｋが一個である場合、当該未完のストランド巻体Ｓｋに替わって、直ちに新たなボビン４４をスピンドル４３に挿設し、当該ボビン４４の所定位置にて、再び複数本のガラスフィラメントＧｆ・Ｇｆ・・・の先端部を一本にまとめて巻付ける。
【００６４】
そして、複数本のガラスフィラメントＧｆ・Ｇｆ・・・をガイド部材３４の内側に位置するように案内させた後に、二個の集束ローラー３１・３１を「集束位置」に同時に水平移動させるとともに、これらの集束ローラー３１・３１の回転駆動を開始し、その後、スピンドル４３の回転駆動、およびトラバース機構４５の綾振動作を開始し、それ以降の前述した動作手順を繰り返すこととなる。
【００６５】
一方、スピンドル４３より抜脱された未完成のストランド巻体Ｓｋ・Ｓｋが二個である場合、タレット盤４２を１８０°回転させて、他方のスピンドル４３をストランドＧｓの巻取り作業の「実行位置」へと移動させる。
また、前記他方のスピンドル４３には、未だストランドＧｓが巻かれていない二個のボビン４４・４４を、予め挿設しておく。
【００６６】
その後、ブッシング１０より引出された複数本のガラスフィラメントＧｆ・Ｇｆ・・・を、トラバース機構４５を経由させて、再び各ボビン４４の所定位置に巻付け、それ以降の前述した動作手順を繰り返すこととなる。
【００６７】
［集束装置１３０（別実施形態）］
次に、本発明の別実施形態に係る集束装置１３０の構成について、図５を用いて詳述する。
別実施形態における集束装置１３０は、前述した集束装置３０と略同等な構成を有する一方、可動手段１３３の構成において集束装置３０と大きく相違する。
よって、以下の説明においては、主に集束装置３０との相違点について記載し、集束装置３０と同等な構成についての記載は省略する。
【００６８】
集束装置１３０は、一個の集束ローラー１３１、集束ローラー１３１を回転駆動させる駆動手段１３２、および駆動手段１３２とともに集束ローラー１３１を移動させる可動手段１３３などにより構成される。
【００６９】
駆動手段１３２は、駆動源である駆動モータおよび減速機構等を内装する筐体１３２Ａ、および筐体１３２Ａの一側面より水平方向（例えば、本実施形態においては左方向）且つ同軸上に延出する一本の出力軸１３２Ｂなどにより構成される。
また、出力軸１３２Ｂには、集束ローラー１３１が同軸上に嵌挿される。
【００７０】
そして、駆動手段１３２は、出力軸１３２Ｂを介して、集束ローラー１３１を所定の回転方向、且つ回転速度にて回転駆動させる。
【００７１】
一方、可動手段１３３は、駆動手段１３２を保持するベース部材１３３Ａを備え、ベース部材１３３Ａは、点Ｇを中心にして水平方向に回動可能に構成される。
また、ベース部材１３３Ａには、例えばステッピングモータやエアシリンダー等からなるアクチュエータ（図示せず）が付設されている。
【００７２】
そして、図示せぬアクチュエータによって、ベース部材１３３Ａが回動されることにより、集束ローラー１３１は、ブッシング１０より引出された複数本のガラスフィラメントＧｆ・Ｇｆ・・・に対して張力を付加しながら案内する状態となる「集束位置（例えば、図５における「集束ローラー１３１Ａ」によって示される位置）」と、「集束位置」よりも作業者Ｍに近い「案内位置（例えば、図５における「集束ローラー１３１Ｂ」によって示される位置）」の間にて、筐体１３２Ａとともに水平移動する構成となっている。
【符号の説明】
【００７３】
１０    ブッシング
３１    集束ローラー
１３１    集束ローラー（別実施形態）
３４    ガイド部材
Ｇｆ    ガラスフィラメント
Ｇｓ    ストランド
【図１】
0006617550.tif 000002
【図２】
0006617550.tif 000003
【図３】
0006617550.tif 000004
【図４】
0006617550.tif 000005
【図５】
0006617550.tif 000006